(57)【要約】【目的】  液晶表示における低消費電力のソースドライバーを提供する。【解決手段】  レベルシフターおよび出力バッファーにおいて１つ以上の中間電圧レベルを提供し、電源供給電圧レベルＶＤＤおよび接地レベルＧＮＤに加え、異なる極性の画像データに対し異なる電圧レベルを提供する。それゆえに、異なる極性を有するレベルシフターとアナログ回路の作動電圧の振幅を減少させ、レベルシフターとＤＡＣの動的消費電力を大幅に減少させることができる。さらに、回路の電圧振幅を減少させ、低耐電圧装置を使用することにより、回路のコストを減少させることができる。【選択図】  図４
2005266738.tif 000002
【特許請求の範囲】
【請求項１】
複数の薄膜トランジスターの複数のソースを駆動させるソースドライバーであって、
デジタル画像データを受信するシフトレジスターと、
前記シフトレジスターに連結され、前記シフトレジスターからデジタル画像データを受信するラッチと、
前記ラッチに連結され、前記ラッチからデジタル画像データを受信するとともに、デジタル画像データの電圧レベルをシフトするレベルシフターと、
前記レベルシフターに連結され、前記デジタル画像データを受信して前記デジタル画像データを対応するアナログ画像データに転換するとともに、前記アナログ画像データを前記複数のソースに出力するアナログ回路とを備え、
そのうち電源供給電圧レベルおよび接地電圧レベルは、前記レベルシフターおよび前記アナログ回路に供給され、前記電源供給電圧レベルおよび前記接地電圧レベルの間の少なくとも１つの中間電圧レベルが前記レベルシフターおよび前記アナログ回路に供給されることを特徴とするソースドライバー。
【請求項２】
それぞれの前記レベルシフターおよび前記アナログ回路は、正極性と負極性とを有し、前記電源供給電圧レベルおよび前記中間電圧レベルは、前記正極性の前記レベルシフターおよび前記正極性の前記アナログ回路に提供され、前記中間電圧レベルおよび前記接地電圧レベルは、前記負極性の前記レベルシフターおよび前記負極性の前記アナログ回路に提供されることを特徴とする請求項１記載のソースドライバー。
【請求項３】
２つ以上の中間電圧レベルが存在する場合に、前記正極性の前記レベルシフターおよび前記正極性の前記アナログ回路に提供される前記中間電圧レベルは、前記接地レベルより大きく、前記電源供給電圧レベルの半分に等しいかそれより小さいとともに、前記負極性の前記レベルシフターおよび前記負極性の前記アナログ回路に提供される前記中間電圧レベルは、前記電源供給電圧レベルの半分に等しいかそれより大きく、前記電源供給電圧レベルより小さいことを特徴とする請求項１記載のソースドライバー。
【請求項４】
前記ラッチは、さらに第１レベルラッチおよび第２レベルラッチを備え、そのうち前記第１レベルラッチは、デジタル画像データを順番に受信し、
デジタル画像データは、順番に配列された複数の水平線の画像データを備え、
前記第１レベルラッチが１つの水平線の画像データを完全に受信した時、前記第１レベルラッチは前記１つの水平線の画像データを前記第２レベルラッチに出力するとともに、継続して次の水平線画像データを受信し、前記第２レベルラッチは、前記1つの水平線の画像データを前記レベルシフターに出力することを特徴とする請求項１記載のソースドライバー。
【請求項５】
前記正極性の前記アナログ回路は、前記正極性のデジタル／アナログ変換器および前記正極性の出力バッファーを備えることを特徴とする請求項１記載のソースドライバー。
【請求項６】
前記正極性の前記デジタル／アナログ変換器は、前記正極性の画像データ変換を備えることを特徴とする請求項５記載のソースドライバー。
【請求項７】
前記正極性の前記出力バッファーは、単一利得と負フィードバックのＯＰアンプであることを特徴とする請求項５記載のソースドライバー。
【請求項８】
前記負極性の前記アナログ回路は、前記負極性のデジタル／アナログ変換器および前記負極性の出力バッファーを備えることを特徴とする請求項１記載のソースドライバー。
【請求項９】
前記負極性の前記デジタル／アナログ変換器は、前記負極性の画像データ変換を備えることを特徴とする請求項８記載のソースドライバー。
【請求項１０】
前記負極性の前記出力バッファーは、単一利得と負フィードバックのＯＰアンプであることを特徴とする請求項８記載のソースドライバー。
【請求項１１】
複数の薄膜トランジスターの複数のソースに適用されるソースドライバーであって、
電源供給電圧レベルおよび第１中間電圧レベルに連結され、ガンマ電圧およびデジタル画像データを受信して画像データを対応のアナログ画像データに変換するとともに、アナログ画像データを前記複数のソースに出力する正極性のアナログ回路と、
接地レベルおよび第２中間電圧レベルに連結され、ガンマ電圧およびデジタル画像データを受信してデジタル画像データを対応のアナログ画像データに変換するとともに、アナログ画像データを前記複数のソースに出力する負極性のアナログ回路と、
前記電源供給電圧レベルおよび前記第１中間電圧レベルに連結され、入力データを受信してデジタル画像データの電圧レベルを変換するとともに、前記デジタル画像データの電圧レベルを前記正極性の前記アナログ回路に出力する第１レベルシフターと、
前記接地レベルおよび前記第２中間電圧レベルに連結され、入力データを受信してデジタル画像データの電圧レベルを変換するとともに、前記デジタル画像データの電圧レベルを前記負極性の前記アナログ回路に出力する第２レベルシフターと
を備えることを特徴とするソースドライバー。
【請求項１２】
前記第１中間電圧レベルおよび前記第２中間電圧レベルが等しい時、前記第１中間電圧レベルは前記電源供給電圧レベルの半分であり、前記第２中間電圧レベルは前記電源供給電圧レベルの半分であることを特徴とする請求項１１記載のソースドライバー。
【請求項１３】
前記第１中間電圧レベルおよび前記第２中間電圧レベルが等しくない時、前記第１中間電圧レベルは前記接地レベルより大きく、前記電源供給電圧レベルの半分に等しいかそれより小さいとともに、前記第２中間電圧レベルは前記電源供給電圧レベルの半分に等しいかそれより大きく、前記電源供給電圧レベルより小さいことを特徴とする請求項１１記載のソースドライバー。
【請求項１４】
前記正極性の前記アナログ回路は、デジタル／アナログ変換器および出力バッファーを備えることを特徴とする請求項１１記載のソースドライバー。
【請求項１５】
前記出力バッファーは、単一利得と負フィードバックのＯＰアンプを備える前記正極性の出力バッファーであることを特徴とする請求項１１記載のソースドライバー。
【請求項１６】
前記負極性の前記アナログ回路は、デジタル／アナログ変換器および出力バッファーを備えることを特徴とする請求項１１記載のソースドライバー。
【請求項１７】
前記出力バッファーは、単一利得と負フィードバックのＯＰアンプを備える前記負極性の出力バッファーであることを特徴とする請求項１１記載のソースドライバー。
【請求項１８】
それぞれがゲート、ソースおよびドレインを有する複数の薄膜トランジスターと、
前記複数の薄膜トランジスターの前記ゲートに連結され、信号を出力して前記複数の薄膜トランジスターを選択的に開くゲート駆動回路と、
前記複数の薄膜トランジスターの前記ソースに連結されたソース駆動回路とを備え、
前記ソース駆動回路は、電源供給電圧レベルおよび第１中間電圧レベルに連結され、ガンマ電圧およびデジタル画像データを受信してデジタル画像データを対応するアナログ画像データに変換するとともに、アナログ画像データを前記複数のソースに出力する正極性のアナログ回路と、
接地レベルおよび第２中間電圧レベルに連結され、ガンマ電圧およびデジタル画像データを受信してデジタル画像データを対応するアナログ画像データに変換するとともに、アナログ画像データを前記複数のソースに出力する負極性のアナログ回路と、
前記電源供給電圧レベルおよび前記第１中間電圧レベルに連結され、入力データを受信してデジタル画像データの電圧レベルを変換するとともに、前記デジタル画像データの電圧レベルを前記正極性の前記アナログ回路に出力する第１レベルシフターと、
前記接地レベルおよび前記第２中間電圧レベルに連結され、入力データを受信してデジタル画像データの電圧レベルを変換するとともに、前記デジタル画像データの電圧レベルを前記負極性の前記アナログ回路に出力する第２レベルシフターとを備えることを特徴とする液晶表示。
【請求項１９】
前記第１中間電圧レベルおよび前記第２中間電圧レベルが等しい時、前記第１中間電圧レベルは前記電源供給電圧レベルの半分であり、前記第２中間電圧レベルは前記電源供給電圧レベルの半分であることを特徴とする請求項１８記載の液晶表示。
【請求項２０】
前記第１中間電圧レベルおよび前記第２中間電圧レベルが等しくない時、前記第１中間電圧レベルは前記接地レベルよりも大きく、前記電源供給電圧レベルの半分に等しいかそれより小さいとともに、前記第２中間電圧レベルは前記電源供給電圧レベルの半分に等しいかそれより大きく、前記電源供給電圧レベルより小さいことを特徴とする請求項１８記載の液晶表示。
【請求項２１】
前記正極性の前記アナログ回路は、デジタル／アナログ変換器および出力バッファーを備えることを特徴とする請求項１８記載の液晶表示。
【請求項２２】
前記出力バッファーは、単一利得と負フィードバックのＯＰアンプを備える前記正極性の出力バッファーであることを特徴とする請求項２１記載の液晶表示。
【請求項２３】
前記負極性の前記アナログ回路は、デジタル／アナログ変換器および出力バッファーを備えることを特徴とする請求項１８記載の液晶表示。
【請求項２４】
前記出力バッファーは、単一利得と負フィードバックのＯＰアンプを備える前記負極性の出力バッファーであることを特徴とする請求項２３記載の液晶表示。
【発明の詳細な説明】
【技術分野】
【０００１】
この発明は、低消費電力のソースドライバーに関し、特に、液晶表示（ＬＣＤ）における低消費電力のソースドライバーに関する。
【背景技術】
【０００２】
図１は、ＬＣＤの構造図である。図１を参照すると、ＬＣＤはスイッチとして薄膜トランジスター１００を使用する。ゲートドライバー１０４が信号を出力して薄膜トランジスター１００を開く時、ソースドライバー１０２は液晶に画像データを出力し、画像データに基づいて液晶の状態を変化させる。
【０００３】
図２は、図１のソースドライバーのブロック図である。図２を参照すると、ＬＣＤのソースドライバー１０２は、シフトレジスター２００、ラッチ２０２、レベルシフター２０４、デジタル／アナログ変換器（ＤＡＣ）２０６および出力バッファー２０８を備える。シフトレジスター２００は、デジタル画像データをラッチ２０２に順番に書き込む。ラッチ２０２に保存された画像データが水平線を十分に表示できる時、ラッチ２０２は画像データをレベルシフター２０４に出力する。レベルシフター２０４は、デジタル画像データの電圧レベルを変化させた後、画像データをＤＡＣ２０６に出力する。ＤＡＣ２０６は、デジタル画像データを受信した後、アナログ画像データを出力バッファー２０８に出力する。最後に、出力バッファー２０８は画像データを液晶に書き込む。出力バッファー２０８は、単一利得と負フィードバックのＯＰアンプにより構成される。
【０００４】
液晶をイオンの影響から防ぐため、液晶に適用する電圧信号の極性を継続的に変化させる必要がある。それゆえに、ＤＡＣや出力バッファーといった駆動回路の一部は、例えば図３の正極性のアナログ回路３０６および負極性のアナログ回路３０８のように、正タイプと負タイプとに分類される。従来の技術では、正と負の駆動回路は同じ駆動電圧を有するが、正と負の駆動回路において、駆動電圧の範囲は異なる必要がある。
【０００５】
異なる極性を有する回路を正常に作動させるため、従来の作動電圧の範囲は、単一極性を有する駆動回路の２倍を有する。従来の方法における欠点は、以下の通りである：
1、シフトレジスター３０２および３０４は、入力信号の電圧を同じ電圧に増加させる。入力信号の電圧レベルが変化する時、消費電力は増加する（Ｐ＝ｆ*Ｃ*Ｖ2）。例えば、電圧が２倍に増加すると、消費電力は４倍に増加する。
【０００６】
２、異なる極性を有するＤＡＣが同じ作動電圧を使用する時、動的消費電力もまた寄生コンデンサーＣｇｓおよびＣｇｄを考慮して増加する。
【０００７】
３、異なる極性を有するＤＡＣが同じ作動電圧を使用する時、静的消費電力（Ｐ＝Ｉ*Ｖ）もまた増加する。例えば、電圧が２倍に増加すると、静的消費電力は２倍に増加する。
【発明の開示】
【発明が解決しようとする課題】
【０００８】
上記課題を解決するため、この発明は、低消費電力のソースドライバーを提供し、異なる極性を有するレベルシフターおよびアナログ回路の作動電圧の振幅を減少させる。したがって、この発明は消費電力を減少させることができるとともに、さらに回路のコストを減少させることも可能となる。
【課題を解決するための手段】
【０００９】
この発明は、ＬＣＤにおいて複数の薄膜トランジスターのソースに適用するソースドライバーを提供する。
【００１０】
この発明はさらに、ＬＣＤにおいて複数の薄膜トランジスターのソースに適用する低消費電力のソースドライバーを提供する。
【００１１】
この発明にかかる好適な実施例に基づいて説明すると、ソースドライバーは、デジタル画像データを受信するシフトレジスターと、シフトレジスターに連結され、シフトレジスターからデジタル画像データを受信するラッチと、ラッチに連結され、ラッチからデジタル画像データを受信するとともにデジタル画像データの電圧レベルをシフトするレベルシフターと、レベルシフターに連結され、デジタル画像データを受信してデジタル画像データを対応するアナログ画像データに転換するとともに、アナログ画像データを複数のソースに出力するアナログ回路とを備える。電源供給電圧レベルおよび接地電圧レベルはレベルシフターおよびアナログ回路に供給され、電源供給電圧レベルおよび接地電圧レベルの間の少なくとも１つの中間電圧レベルがレベルシフターおよびアナログ回路に供給される。
【００１２】
この発明にかかる好適な実施例において、それぞれのレベルシフターおよびアナログ回路は、正極性と負極性とを有する。電源供給電圧レベルおよび中間電圧レベルは、正極性のレベルシフターおよび正極性のアナログ回路に提供される。中間電圧レベルおよび接地電圧レベルは、負極性のレベルシフターおよび負極性のアナログ回路に提供される。
【００１３】
この発明にかかる好適な実施例において、２つ以上の中間電圧レベルが存在する場合、正極性のレベルシフターおよび正極性のアナログ回路に提供される中間電圧レベルは、接地レベルより大きく、電源供給電圧レベルの半分に等しいかそれより小さい。負極性のレベルシフターおよび負極性のアナログ回路に提供される中間電圧レベルは、電源供給電圧レベルの半分に等しいかそれより大きく、電源供給電圧レベルより小さい。
【００１４】
この発明にかかる好適な実施例において、ラッチはさらに第１レベルラッチと第２レベルラッチとを備える。第１レベルラッチは、デジタル画像データを順番に受信する。デジタル画像データは、順番に配列された複数の水平線の画像データを備える。第１レベルラッチが１つの水平線の画像データを完全に受信した時、第１レベルラッチは１つの水平線の画像データを第２レベルラッチに出力した後、継続して次の１つの水平線画像データを受信する。第２レベルラッチは、前の水平線の画像データをレベルシフターに出力する。
【００１５】
この発明にかかる好適な実施例において、正極性のデジタル／アナログ変換器は、正極性の画像データ変換を提供する。負極性を有するデジタル／アナログ変換器は、負極性の画像データ変換を提供する。
【００１６】
この発明にかかる好適な実施例において、正極性の出力バッファーは、単一利得と負フィードバックのＯＰアンプである。負極性の出力バッファーは、単一利得と負フィードバックのＯＰアンプである。
【００１７】
この発明はまた、薄膜トランジスターのソースに適用するソースドライバーを提供する。この発明にかかる好適な実施例に基づき説明すると、ソースドライバーは、電源供給電圧レベルおよび第１中間電圧レベルに連結され、ガンマ電圧およびデジタル画像データを受信して画像データを対応のアナログ画像データに変換するとともに、アナログ画像データを複数のソースに出力する正極性のアナログ回路と、接地レベルおよび第２中間電圧レベルに連結され、ガンマ電圧およびデジタル画像データを受信してデジタル画像データを対応のアナログ画像データに変換するとともに、アナログ画像データを複数のソースに出力する負極性のアナログ回路と、電源供給電圧レベルおよび第１中間電圧レベルに連結され、入力データを受信してデジタル画像データの電圧レベルを変換するとともに、デジタル画像データの電圧レベルを正極性のアナログ回路に出力する第１レベルシフターと、接地レベルおよび第２中間電圧レベルに連結され、入力データを受信してデジタル画像データの電圧レベルを変換するとともに、デジタル画像データの電圧レベルを負極性のアナログ回路に出力する第２レベルシフターとを備える。
【００１８】
この発明にかかる好適な実施例において、第１中間電圧レベルおよび第２中間電圧レベルが等しい時、第１中間電圧レベルは電源供給電圧レベルの半分であり、第２中間電圧レベルは電源供給電圧レベルの半分である。
この発明にかかる好適な実施例において、第１中間電圧レベルおよび第２中間電圧レベルが等しくない時、第１中間電圧レベルは接地レベルより大きく、電源供給電圧レベルの半分に等しいかそれより小さい。第２中間電圧レベルは電源供給電圧レベルの半分に等しいかそれより大きく、電源供給電圧レベルより小さい。
【００１９】
この発明にかかる好適な実施例において、正極性のアナログ回路はさらに、デジタル／アナログ変換器および出力バッファーを備える。出力バッファーは、単一利得と負フィードバックのＯＰアンプを備える正極性の出力バッファーである。
【００２０】
この発明にかかる好適な実施例において、負極性のアナログ回路はさらに、デジタル／アナログ変換器および出力バッファーを備える。出力バッファーは、単一利得と負フィードバックのＯＰアンプを備える負極性の出力バッファーである。
【００２１】
この発明は、さらに液晶表示を提供する。この発明にかかる好適な実施例に基づき説明すると、液晶表示は、それぞれがゲート、ソースおよびドレインを有する複数の薄膜トランジスターと、複数の薄膜トランジスターのゲートに連結され、信号を出力して複数の薄膜トランジスターを選択的に開くゲート駆動回路と、複数の薄膜トランジスターのソースに連結されたソース駆動回路とを備える。ソース駆動回路は、電源供給電圧レベルおよび第１中間電圧レベルに連結され、ガンマ電圧およびデジタル画像データを受信してデジタル画像データを対応するアナログ画像データに変換した後、アナログ画像データを複数のソースに出力する正極性のアナログ回路と、接地レベルおよび第２中間電圧レベルに連結され、ガンマ電圧およびデジタル画像データを受信してデジタル画像データを対応するアナログ画像データに変換した後、アナログ画像データを複数のソースに出力する負極性のアナログ回路と、電源供給電圧レベルおよび第１中間電圧レベルに連結され、入力データを受信してデジタル画像データの電圧レベルを変換した後、デジタル画像データの電圧レベルを正極性のアナログ回路に出力する第１レベルシフターと、接地レベルおよび第２中間電圧レベルに連結され、入力データを受信してデジタル画像データの電圧レベルを変換するとともに、デジタル画像データの電圧レベルを負極性のアナログ回路に出力する第２レベルシフターとを備える。
【００２２】
この発明にかかる好適な実施例において、第１中間電圧レベルおよび第２中間電圧レベルが等しい時、第１中間電圧レベルは電源供給電圧レベルの半分であり、第２中間電圧レベルは電源供給電圧レベルの半分である。
【００２３】
この発明にかかる好適な実施例において、第１中間電圧レベルおよび第２中間電圧レベルが等しくない時、第１中間電圧レベルは接地レベルより大きく、電源供給電圧レベルの半分に等しいかそれより小さい。第２中間電圧レベルは電源供給電圧レベルの半分に等しいかそれより大きく、電源供給電圧レベルより小さい。
【００２４】
この発明にかかる好適な実施例において、正極性のアナログ回路はさらに、デジタル／アナログ変換器および出力バッファーを備える。出力バッファーは、単一利得と負フィードバックのＯＰアンプを備える正極性の出力バッファーである。
【００２５】
この発明にかかる好適な実施例において、負極性のアナログ回路はさらに、デジタル／アナログ変換器および出力バッファーを備える。出力バッファーは、単一利得と負フィードバックのＯＰアンプを備える負極性の出力バッファーである。
【００２６】
この発明にかかる好適な実施例に基づき説明すると、ソースドライバーは、レベルシフターおよび出力バッファーに対して１つ以上の中間電圧レベルを提供するために使用され、それゆえにレベルシフターの作動電圧の振幅が減少し、レベルシフターとＤＡＣの動的消費電力もまた大幅に減少させることができる。さらに、出力バッファーの作動電圧の振幅が減少するとともに、出力バッファーの静的消費電力もまた大幅に減少させることができる。
【発明の効果】
【００２７】
したがって、レベルシフターの作動電圧の振幅を減少させることにより、レベルシフターおよびＤＡＣの動的消費電力が大幅に減少する。さらに、出力バッファーの作動電圧の振幅が減少するとともに、出力バッファーの静的消費電力もまた大幅に減少させることができる。この発明は、回路の電圧振幅を減少させ、低耐電圧装置を使用することにより、さらに回路のコストを減少させることができる。
この発明の上記およびその他の目的、特徴および長所を明確に理解してもらうため、以下により好適な実施例ならびに図面を示し、詳細を説明する。
【発明を実施するための最良の形態】
【００２８】
上記に述べたように、液晶をイオンの影響から防ぐために、液晶に適用する複数の電圧信号を継続的に変化させる必要がある。それゆえに、ＤＡＣや出力バッファーといった駆動回路は、正極性と負極性とに分類される。従来の技術では、例えば接地ＧＮＤと電源供給ＶＤＤといった正と負の駆動回路の駆動電圧は同じである。異なる極性を有する回路を正常に作動させるため、従来の作動電圧の範囲は、単一極性を有する回路の２倍である。
【００２９】
それゆえに、レベルシフターとＤＡＣの動的消費電力を増加させるだけでなく、出力バッファーの静的消費電力も増加させる結果となる。先行技術の消費電力の問題を解決するために、この発明はさらに、接地ＧＮＤおよび電源供給ＶＤＤに対して少なくとも１つの中間電圧を提供して、作動電圧の振幅を減少させる。
【００３０】
さらに、上記ラッチは２レベルのラッチである。第１レベルラッチは、デジタル画像データを順番に受信する。デジタル画像データは、複数の水平線画像データを順番に備える。第１レベルラッチが１つの水平線の画像データを完全に受信した時、第１レベルラッチは１つの水平線の画像データを第２レベルラッチに出力した後、継続して次の水平線の画像データを受信する。第２レベルラッチは画像データをレベルシフターに出力する。
【００３１】
図４は、この発明にかかる好適な実施例に基づき、ソースドライバーの一部を示すブロック図である。図４に示したように、ソースドライバーは、電源供給電圧レベルＶＤＤおよび第１中間電圧レベルＶＭ１に連結され、ガンマ電圧およびデジタル画像データを受信して画像データを対応のアナログ画像データに変換するとともに、アナログ画像データをソースに出力する正極性のアナログ回路４０６と、接地レベルＧＮＤおよび第２中間電圧レベルＶＭ２に連結され、ガンマ電圧およびデジタル画像データを受信してデジタル画像データを対応のアナログ画像データに変換するとともに、さらにアナログ画像データを複数のソースに出力する負極性のアナログ回路４０８と、電源供給電圧レベルＶＤＤおよび第１中間電圧レベルＶＭ１に連結され、入力データを受信してデジタル画像データの電圧レベルを変換するとともに、デジタル画像データの電圧レベルを正極性のアナログ回路４０６に出力する第１レベルシフター４０２と、接地レベルＧＮＤおよび第２中間電圧レベルＶＭ２に連結され、入力データを受信してデジタル画像データの電圧レベルを変換するとともに、デジタル画像データの電圧レベルを負極性のアナログ回路４０８に出力する第２レベルシフター４０４とを備える。
【００３２】
正極性のアナログ回路４０６および負極性のアナログ回路４０８は、出力段４１０を経由して、それぞれ奇数のデータラインおよび偶数のデータラインを出力する。タイミングコントローラーの制御を経由すると（図示せず）、予め定められた期間の後、正極性のアナログ回路４０６および負極性のアナログ回路４０８の出力は逆転する。すなわち、正極性のアナログ回路４０６および負極性のアナログ回路４０８は、出力段４１０を経由して、それぞれ偶数のデータラインおよび奇数のデータラインを出力する。この変化を繰り返すことにより、ＬＣＤパネルは画像データの表示を行う。
上記の正極性のアナログ回路は、正極性のデジタル／アナログ変換器および正極性の出力バッファーを備える。正極性の出力バッファーは、単一利得と負フィードバックのＯＰアンプである。上記の負極性のアナログ回路は、負極性のデジタル／アナログ変換器および負極性の出力バッファーを備える。負極性の出力バッファーは、単一利得と負フィードバックのＯＰアンプである。
【００３３】
上記に述べたように、正極性のアナログ回路４０６および第１レベルシフター４０２の電源は、電源供給電圧レベルＶＤＤと第１中間電圧レベルＶＭ１との間にあるため、変動幅度ＶＤＤ−ＶＭ１は、従来のＶＤＤ−ＧＮＤと比べはるかに小さい。さらに、負極性のアナログ回路４０８および第２レベルシフター４０４の電源は、電源供給電圧レベルＶＤＤと第２中間電圧レベルＶＭ２との間にあるため、変動幅度ＶＤＤ−ＶＭ２は、従来のＶＤＤ−ＧＮＤと比べはるかに小さい。それゆえに、正極性のアナログ回路４０６および負極性のアナログ回路４０８と、第１レベルシフター４０２および第２レベルシフター４０４の操作電圧の変動幅度は大幅に減少する。
【００３４】
この発明にかかる好適な実施例に基づき説明すると、中間電圧レベルは以下のように設定される。中間電圧レベルが単一電源である場合、すなわち、第１中間電圧レベルＶＭ１および第２中間電圧レベルＶＭ２が同じ場合、第１中間電圧レベルと第２中間電圧レベルＶＭ１＝ＶＭ２は、ＶＤＤ／２として設定される。２つ以上の電源がある場合、すなわち、第１中間電圧レベルＶＭ１が第２中間電圧レベルＶＭ２と同じでない場合、第１中間電圧レベルＶＭ１は接地レベルＧＮＤより大きく、ＶＤＤ／２に等しいかそれより小さい。また、第２中間電圧レベルはＶＤＤ／２に等しいかそれより大きく、電源供給電圧レベルＶＤＤより小さい。異なる極性によってレベルシフターの出力電圧の振幅が減少する時、ＤＡＣの作動電圧の範囲は大きく減少する。
【００３５】
動的消費電力はＰ＝ｆ*Ｃ*Ｖ2（ｆは信号の作動回数、Ｃはコンデンサー負荷、Ｖは作動電圧の振幅）である。それゆえに、作動電圧の振幅の減少によって、レベルシフターおよびアナログ変換器の動的消費電力を減少させることができる。出力バッファーに関しては、作動電圧の静的消費電力はＰ＝Ｉ*Ｖ（Ｉは電流、Ｖは作動電圧）である。それゆえに、作動電圧の振幅の減少によって、出力バッファーの静的消費電力を減少させることができる。
以上のごとく、この発明を好適な実施例により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【図面の簡単な説明】
【００３６】
【図１】ＬＣＤの構造図である。
【図２】図１のソースドライバーのブロック図である。
【図３】従来の駆動回路の回路図である。
【図４】この発明にかかる好適な実施例に基づき、ソースドライバーの一部を示すブロック図である。
【符号の説明】
【００３７】
１００  薄膜トランジスター
１０２  ソースドライバー
１０４  ゲートドライバー
２００  シフトレジスター
２０２  ラッチ
２０４  レベルシフター
２０６  デジタル／アナログ変換器（ＤＡＣ）
２０８  出力バッファー
３０２  シフトレジスター
３０４  シフトレジスター
３０６  正極性のアナログ回路
３０８  負極性のアナログ回路
４０２  第１レベルシフター
４０４  第２レベルシフター
４０６  正極性のアナログ回路
４０８  負極性のアナログ回路
４１０  出力段
【図１】
2005266738.tif 000003
【図２】
2005266738.tif 000004
【図３】
2005266738.tif 000005
【図４】
2005266738.tif 000006